(57)【要約】【課題】効率よく沈砂を輸送することができる沈砂輸送装置を提供する。【解決手段】沈砂輸送装置は、固液回収タンク２と、一端部が固液回収タンク２に接続され、他端部が沈砂池５の水中に没される吸引輸送管４と、固液回収タンク２および吸引輸送管４の内部を減圧する真空装置１と、吸引輸送管４に接続される大気開放管１１と、吸引輸送管４を大気開放するための大気開放弁１０と、吸引輸送管４に接続される空気注入管２１と、空気注入管２１を通じて吸引輸送管４の内部に圧縮空気を送り込む圧縮空気移送装置２２と、固液回収タンク２内の固液混合体を吸引するサンドポンプ１６と、サンドポンプ１６に吸引された固液混合体を受け入れる沈砂受入機１７を備える。【選択図】図１
2014083501.tif 000002
【特許請求の範囲】
【請求項１】
固液回収タンクと、
一端部が前記固液回収タンクに接続され、他端部が沈砂池の水中に没される吸引輸送管と、
前記固液回収タンクおよび前記吸引輸送管の内部を減圧する真空装置と、
前記吸引輸送管に接続される大気開放管と、
前記大気開放管を通じて前記吸引輸送管の前記大気開放管との接続部を大気開放するための大気開放弁と、
前記吸引輸送管の前記大気開放管との接続部よりも下方の水面下で前記吸引輸送管に接続される空気注入管と、
前記空気注入管を通じて前記吸引輸送管の内部に圧縮空気を送り込む圧縮空気移送装置と、
前記固液回収タンク内の固液混合体を吸引するサンドポンプと、
前記サンドポンプに吸引された前記固液混合体を受け入れる沈砂受入機と、
を備えたことを特徴とする沈砂輸送装置。
【請求項２】
前記吸引輸送管の口径は、前記固液回収タンクと前記サンドポンプとを連結する第１の固液輸送管の口径、前記サンドポンプと前記沈砂受入機とを連結する第２の固液輸送管の口径、および前記サンドポンプの吸込口の口径よりも小さいことを特徴とする請求項１に記載の沈砂輸送装置。
【請求項３】
前記固液回収タンクの沈砂排出口は前記サンドポンプの吸込口に連結され、前記沈砂排出口は前記サンドポンプの吸込口よりも上方に位置していることを特徴とする請求項１に記載の沈砂輸送装置。
【請求項４】
前記サンドポンプは、前記固液回収タンクの内部に配置されていることを特徴とする請求項１に記載の沈砂輸送装置。
【請求項５】
前記固液回収タンクに堆積した沈砂を撹拌する撹拌機をさらに備えたことを特徴とする請求項１乃至４のいずれか一項に記載の沈砂輸送装置。
【請求項６】
前記撹拌機は、前記固液回収タンクの下部に接続された大気注入管を備えることを特徴とする請求項５に記載の沈砂輸送装置。
【請求項７】
前記撹拌機は、前記固液回収タンクの底部近傍に配置される撹拌羽根と、前記撹拌羽根を回転させる駆動装置とを備えることを特徴とする請求項５に記載の沈砂輸送装置。
【請求項８】
鉛直方向に延びる導水管を前記固液回収タンク内に配置したことを特徴とする請求項１乃至７のいずれか一項に記載の沈砂輸送装置。
【請求項９】
固液回収タンクおよび該固液回収タンクに接続された吸引輸送管の内部を減圧し、
沈砂池に堆積した沈砂を水とともに固液混合体として前記吸引輸送管内に吸引し、
前記吸引輸送管内に圧縮空気を注入することにより前記固液混合体を上方に押し上げて輸送用水柱を形成し、
前記輸送用水柱の下端が前記吸引輸送管の大気開放管との接続部よりも上方に位置したときに前記大気開放管を通じて前記吸引輸送管内を大気開放し、
前記輸送用水柱の上端に作用する真空圧と該輸送用水柱の下端に作用する大気圧との圧力差により前記輸送用水柱を前記固液回収タンクに輸送し、
前記固液回収タンクに輸送された固液混合体をサンドポンプで吸引して沈砂受入機に輸送することを特徴とする沈砂輸送方法。
【請求項１０】
前記固液回収タンクに堆積した沈砂を撹拌しながら、前記固液混合体を前記サンドポンプで吸引して前記沈砂受入機に輸送することを特徴とする請求項９に記載の沈砂輸送方法。
【請求項１１】
前記固液回収タンクの内部を大気開放し、該固液回収タンクに堆積した沈砂を撹拌しながら、前記固液混合体を前記サンドポンプで吸引して前記沈砂受入機に輸送することを特徴とする請求項１０に記載の沈砂輸送方法。
【発明の詳細な説明】
【技術分野】
【０００１】
本発明は、沈降性の固体を液体とともに吸引し、かつ輸送する沈砂輸送装置および沈砂輸送方法に関するものである。
【背景技術】
【０００２】
下水処理施設やし尿処理施設などの沈砂池における沈砂輸送設備は、し渣、砂利、金属類の沈降物などを含み、かつ、強い臭気を発生する環境にある。したがって、沈砂を自動で、目詰まりなどの問題もなく、高揚程にて輸送距離も長く、省エネルギーで効率的かつ安全に除去することが求められてきた。
【０００３】
特許文献１には、真空装置により固液回収タンクおよび吸引輸送管の内部を真空にして沈砂と水とを含む固液混合体を吸引輸送管内に吸引し、吸引した固液混合体の下方を大気開放することで輸送用水柱を吸引輸送管内に形成し、大気圧と真空圧との圧力差により、輸送用水柱（固液混合体）を固液回収タンクまで輸送する技術が開示されている。しかしながら、真空吸引方式の場合、揚程が高くなるほど、また、輸送距離が長くなるほど輸送効率が悪くなるという問題がある。
【０００４】
特許文献２には、高圧水を吸引輸送管内に供給するジェットポンプ方式により固液混合体を吸引輸送管を通じてサンドポンプに輸送し、輸送効率の高いサンドポンプで固液混合体を輸送する技術が開示されている。また、特許文献３には、エゼクタ方式により沈砂を吸引輸送管内に吸引し、吸引された沈砂を大量の水で圧送する技術が開示されている。しかしながら、特許文献２および特許文献３の方法では、エゼクタの駆動に使用される大量の水を輸送するための大型のポンプおよび輸送された水を受け入れる大型の設備（例えば固液回収タンクおよび沈砂受入機）を配置するための広いスペースが必要になる。
【先行技術文献】
【特許文献】
【０００５】
【特許文献１】特許第４７８２０５９号公報
【特許文献２】特許第４５０３４６７号公報
【特許文献３】特開２０１１−２５１２４８号公報
【発明の概要】
【発明が解決しようとする課題】
【０００６】
本発明は、上述した従来技術の問題点に鑑みてなされたもので、効率よく沈砂を輸送することができる沈砂輸送装置を提供することを目的とする。また本発明は、そのような沈砂輸送装置を用いた沈砂輸送方法を提供することを目的とする。
【課題を解決するための手段】
【０００７】
上述した目的を達成するために、本発明の一態様は、固液回収タンクと、一端部が前記固液回収タンクに接続され、他端部が沈砂池の水中に没される吸引輸送管と、前記固液回収タンクおよび前記吸引輸送管の内部を減圧する真空装置と、前記吸引輸送管に接続される大気開放管と、前記大気開放管を通じて前記吸引輸送管の前記大気開放管との接続部を大気開放するための大気開放弁と、前記吸引輸送管の前記大気開放管との接続部よりも下方の水面下で前記吸引輸送管に接続される空気注入管と、前記空気注入管を通じて前記吸引輸送管の内部に圧縮空気を送り込む圧縮空気移送装置と、前記固液回収タンク内の固液混合体を吸引するサンドポンプと、前記サンドポンプに吸引された前記固液混合体を受け入れる沈砂受入機とを備えたことを特徴とする沈砂輸送装置である。
【０００８】
本発明の好ましい態様は、前記吸引輸送管の口径は、前記固液回収タンクと前記サンドポンプとを連結する第１の固液輸送管の口径、前記サンドポンプと前記沈砂受入機とを連結する第２の固液輸送管の口径、および前記サンドポンプの吸込口の口径よりも小さいことを特徴とする。
本発明の好ましい態様は、前記固液回収タンクの沈砂排出口は前記サンドポンプの吸込口に連結され、前記沈砂排出口は前記サンドポンプの吸込口よりも上方に位置していることを特徴とする。
本発明の好ましい態様は、前記サンドポンプは、前記固液回収タンクの内部に配置されていることを特徴とする。
【０００９】
本発明の好ましい態様は、前記固液回収タンクに堆積した沈砂を撹拌する撹拌機をさらに備えたことを特徴とする。
本発明の好ましい態様は、前記撹拌機は、前記固液回収タンクの下部に接続された大気注入管を備えることを特徴とする。
本発明の好ましい態様は、前記撹拌機は、前記固液回収タンクの底部近傍に配置される撹拌羽根と、前記撹拌羽根を回転させる駆動装置とを備えることを特徴とする。
本発明の好ましい態様は、鉛直方向に延びる導水管を前記固液回収タンク内に配置したことを特徴とする。
【００１０】
本発明の他の態様は、固液回収タンクおよび該固液回収タンクに接続された吸引輸送管の内部を減圧し、沈砂池に堆積した沈砂を水とともに固液混合体として前記吸引輸送管内に吸引し、前記吸引輸送管内に圧縮空気を注入することにより前記固液混合体を上方に押し上げて輸送用水柱を形成し、前記輸送用水柱の下端が前記吸引輸送管の大気開放管との接続部よりも上方に位置したときに前記大気開放管を通じて前記吸引輸送管内を大気開放し、前記輸送用水柱の上端に作用する真空圧と該輸送用水柱の下端に作用する大気圧との圧力差により前記輸送用水柱を前記固液回収タンクに輸送し、前記固液回収タンクに輸送された固液混合体をサンドポンプで吸引して沈砂受入機に輸送することを特徴とする沈砂輸送方法である。
本発明の好ましい態様は、前記固液回収タンクに堆積した沈砂を撹拌しながら、前記固液混合体を前記サンドポンプで吸引して前記沈砂受入機に輸送することを特徴とする。
本発明の好ましい態様は、前記固液回収タンクの内部を大気開放し、該固液回収タンクに堆積した沈砂を撹拌しながら、前記固液混合体を前記サンドポンプで吸引して前記沈砂受入機に輸送することを特徴とする。
【発明の効果】
【００１１】
本発明によれば、真空吸引方式により固液混合体を沈砂池から固液回収タンクまで輸送し、さらに、サンドポンプにより固液混合体を固液回収タンクから沈砂受入機まで輸送するので、沈砂池から固液回収タンクまでの揚程を低くすることができ、かつ、輸送距離を短くすることができる。これにより、輸送効率が高められる。また、輸送効率の高いサンドポンプを使用することにより、輸送効率がさらに高められる。
【図面の簡単な説明】
【００１２】
【図１】本発明における沈砂輸送装置を示す図である。
【図２】撹拌機としての大気注入管を固液回収タンクの下部に接続した例を示す図である。
【図３】導水管を固液回収タンクの内部に配置した図である。
【図４】大気注入管を固液回収タンクの下部に接続し、かつ、導水管を固液回収タンク内に配置した図である。
【図５】撹拌羽根を固液回収タンクの内部に配置した図である。
【図６】サンドポンプを固液回収タンクの内部に配置した図である。
【発明を実施するための形態】
【００１３】
以下、本発明に係る沈砂輸送装置の実施形態について図１から図６を参照して説明する。なお、図１から図６において、同一または相当する構成要素には、同一の符号を付して重複した説明を省略する。図１は、本発明における沈砂輸送装置を示す図である。図１に示すように、沈砂輸送装置は、真空ポンプなどの真空装置（減圧装置）１と、真空装置１に接続された固液回収タンク２と、一端部４ａが固液回収タンク２に接続され、他端部４ｂが沈砂池５の水中に没される吸引輸送管４と、固液回収タンク２内の固液混合体を沈砂受入機（沈砂分離機）１７に輸送するサンドポンプ１６とを備えている。固液回収タンク２は、沈砂池５よりも上方に位置しており、沈砂輸送装置は、真空装置１で固液回収タンク２の内部を真空にすることにより、沈砂池５の池底に堆積した沈砂を水とともに固液混合体として固液回収タンク２に輸送できるようになっている。
【００１４】
吸引輸送管４には、大気開放弁１０が取り付けられた大気開放管１１が接続されている。大気開放管１１は沈砂池５の最高水位よりも上方の位置で吸引輸送管４に接続されている。大気開放弁１０を開くと、大気開放管１１の吸引輸送管４との接続部１１ａが大気開放されるようになっている。この大気開放弁１０には制御部１２が接続されており、制御部１２によって大気開放弁１０の開閉動作が制御される。
【００１５】
さらに、吸引輸送管４には空気注入管２１が接続されている。この空気注入管２１と吸引輸送管４との接続部２１ａは大気開放管１１の接続部１１ａよりも下方の水面下に位置しており、接続部２１ａと接続部１１ａとの間の長さは、沈砂池５の水位や固液回収タンク２内の真空度等によって決定される。空気注入管２１には、圧縮空気移送装置としてのコンプレッサ２２が接続されており、空気注入管２１には空気注入弁２３が設けられている。空気注入弁２３には制御部２５が接続されており、制御部２５によって空気注入弁２３の開閉動作が制御される。
【００１６】
固液回収タンク２の底部には、沈砂排出口１８が設けられており、沈砂排出口１８には、沈砂排出口１８を開閉する沈砂排出弁２４が取り付けられている。沈砂排出弁２４には第１の固液輸送管１９の一端部１９ａが接続されている。第１の固液輸送管１９の他端部１９ｂはサンドポンプ１６の吸込口１６ａに接続されている。サンドポンプ１６の吐出口１６ｂには第２の固液輸送管２０の一端部２０ａが接続されており、第２の固液輸送管２０の他端部２０ｂは沈砂受入機１７に接続されている。沈砂受入機１７は、固液回収タンク２およびサンドポンプ１６よりも上方に配置されている。
【００１７】
次に、本実施形態の沈砂輸送装置を用いて沈砂池５の池底に堆積した沈砂を引き上げる動作について図１を参照しつつ説明する。まず、大気開放弁１０および空気注入弁２３を閉じた状態で真空装置１を駆動して真空装置１が接続された固液回収タンク２および吸引輸送管４の内部を減圧する。固液回収タンク２および吸引輸送管４内の真空圧と沈砂池５に作用する大気圧との圧力差により、沈砂池５中の沈砂を含んだ水が固液混合体として吸引輸送管４内に吸引される。
【００１８】
吸引輸送管４は、第１の固液輸送管１９の口径、第２の固液輸送管２０の口径、およびサンドポンプ１６の吸込口１６ａの口径よりも小さな口径を有している。このため、吸引輸送管４を通過することができる沈砂は第１の固液輸送管１９の口径、第２の固液輸送管２０の口径、およびサンドポンプ１６の吸込口１６ａの口径よりも小さいものに制限される。したがって、沈砂による第１の固液輸送管１９、第２の固液輸送管２０、およびサンドポンプ１６の閉塞を防止することができる。
【００１９】
固液混合体が吸引輸送管４内に吸引されたら、空気注入弁２３を開いて、コンプレッサ２２から圧縮空気を空気注入管２１を通じて吸引輸送管４の内部に注入する。これにより、固液混合体を空気注入管２１の接続部２１ａよりも上方に押し上げて輸送用水柱を形成し、輸送用水柱の下端が大気開放管１１の接続部１１ａの近傍またはそれよりも上方に位置するまで輸送用水柱を上昇させる。
【００２０】
次いで、大気開放弁１０を開くとともに空気注入弁２３を閉じ、大気開放管１１の接続部１１ａを大気開放することにより、輸送用水柱は、該輸送用水柱の上端に作用する真空圧と下端に作用する大気圧との圧力差により、固液回収タンク２に向かって移動し輸送される。
【００２１】
輸送用水柱全体が固液回収タンク２に入る直前に制御部１２により大気開放弁１０が再び閉じられる。これにより、沈砂池５中の沈砂と水を含んだ固液混合体が、再度、吸引輸送管４内に吸引される。その後は上述と同様の工程を繰り返すことにより、沈砂池５の池底に堆積した沈砂を断続的に固液回収タンク２に輸送する。沈砂輸送工程の終了は、固液回収タンク２の高水位、沈砂池５の低水位、設定時間のタイムアップなどに基づいて判断される。制御部１２は、大気開放弁１０から固液回収タンク２までの経路に空気の連通路ができないように大気開放弁１０の開閉動作を制御することが好ましい。これにより大気開放弁１０からの空気の流入量を最小限にすることができるため、固液回収タンク２内の真空度を高く維持することができる。なお、大気開放弁１０を閉じ、空気注入弁２３を開いたままにした状態で、コンプレッサ２２からの圧縮空気を連続的に吸引輸送管４内に注入して、輸送用水柱を固液回収タンク２に輸送してもよい。圧縮空気を吸引輸送管４内に注入することによって空気の上昇流が発生するため、輸送用水柱を空気の上昇流に乗せて固液回収タンク２まで輸送することができる。
【００２２】
サンドポンプ１６を駆動すると、固液回収タンク２内の固液混合体は第１の固液輸送管１９を通ってサンドポンプ１６に吸引され、さらに、第２の固液輸送管２０を通って沈砂受入機１７に輸送される。
【００２３】
固液混合体を固液回収タンク２から沈砂受入機１７に輸送するとき、固液回収タンク２の内部を減圧したままサンドポンプ１６を駆動してもよく、または固液回収タンク２の内部を大気開放してからサンドポンプ１６を駆動してもよい。いずれの場合も、固液回収タンク２内に堆積した沈砂を撹拌しながら、固液混合体をサンドポンプ１６で沈砂受入機１７に輸送することが好ましい。固液回収タンク２の内部を減圧したままサンドポンプ１６を駆動する場合、サンドポンプ１６を所定時間ごとに駆動して、固液混合体を定期的に輸送する（時間運転）。これにより、真空装置１の運転を停止して固液回収タンク２内を大気開放する必要がなく、さらに、固液混合体の輸送を再開するときに固液回収タンク内を真空にする必要がない。その結果、単位時間当たりの固液混合体の輸送量を増やすことができる。
【００２４】
固液回収タンク２の内部を大気開放した後にサンドポンプ１６を駆動する場合、固液回収タンク２内が固液混合体で満たされるまで真空装置１を駆動する（定量輸送運転）。所定時間以内に固液回収タンク２内が固液混合体で満たされない場合、吸引輸送管４が閉塞している可能性があると推測することができる。また、真空装置１の運転中は、固液回収タンク２の内部は大気開放されないので、真空装置１は、その揚水性能を維持したまま、固液混合体を沈砂池５から固液回収タンク２まで輸送することができる。
【００２５】
固液回収タンク２の沈砂排出口１８はサンドポンプ１６の吸込口１６ａよりも上方に位置している。好ましくは沈砂排出口１８を吸込口１６ａよりも１メートル以上、上方に位置させる。これにより、固液回収タンク２内の固液混合体がその自重により第１の固液輸送管１９を通ってサンドポンプ１６に導入され、サンドポンプ１６の内部が固液混合体で満たされる。固液混合体の自重によりサンドポンプ１６の内部が満水状態になるため、いわゆる呼び水によりサンドポンプ１６の内部を満水にする必要はなく、また、一般的な自吸水ポンプのように、ポンプを駆動することによってポンプ内部を満水にする必要がない。これにより、固液回収タンク２内の固液混合体を吸引する時間を短縮することができるため、固液混合体の輸送の効率化を図ることができる。
【００２６】
図１に示すように、真空装置１、固液回収タンク２、サンドポンプ１６、および沈砂受入機１７は、沈砂池５の上方に設けられている。これにより、沈砂輸送装置の維持管理を容易に行うことができるため、作業環境を良好に保つことができる。
【００２７】
本実施形態に係る沈砂輸送装置は、真空装置１により固液回収タンク２およびこれに接続された吸引輸送管４内を減圧して固液混合体を吸引する構成を有している。したがって、沈砂池の数に対応した吸引輸送管４を各々の沈砂池に配置することで、固液混合体を複数の沈砂池から固液回収タンク２まで輸送することができる。固液回収タンク２内の固液混合体は、１台のサンドポンプ１６により固液回収タンク２から沈砂分離機１７まで輸送される。
【００２８】
固液混合体に含まれる砂は沈降性を有するため、固液混合体に含まれる砂は固液回収タンク２の底部に堆積する。堆積した沈砂は次第に濃縮され、固液回収タンク２の底部に固着することがある。また、濃縮された沈砂をサンドポンプ１６に導入すると、サンドポンプ１６が閉塞することがある。この問題を解決するために、本実施形態では、固液回収タンク２内の沈砂を撹拌するための大気注入管３０が固液回収タンク２の下部に接続されている。
【００２９】
図２は、撹拌機としての大気注入管３０を固液回収タンク２の下部に接続した例を示す図である。図２に示すように、大気注入弁３１が取り付けられた大気注入管３０が固液回収タンク２の下部に接続されている。大気注入管３０は、固液回収タンク２内の沈砂を撹拌する撹拌機を構成している。大気注入弁３１には制御部３３が接続されており、制御部３３によって大気注入弁３１の開閉動作が制御される。大気注入管３０の一端部３０ａは大気注入弁３１に接続されており、他端部３０ｂは固液回収タンク２の下部に接続されている。真空装置１を駆動すると固液回収タンク２の内部は減圧されるため、この状態で大気注入弁３１を開くと、大気圧と真空圧との圧力差により、大気圧の気体が大気注入管３０を通って固液回収タンク２の内部に導入される。導入された大気圧の気体は気泡となって、固液回収タンク２の底部に堆積した沈砂を撹拌する。これにより、沈砂の固着および／またはサンドポンプ１６の閉塞を防ぐことができる。
【００３０】
本実施形態においては、大気開放弁１０の開閉動作を制御部１２で制御し、大気注入弁３１の開閉動作を制御部３３で制御し、空気注入弁２３の開閉動作を制御部２５で制御しているが、大気開放弁１０、大気注入弁３１、および空気注入弁２３の開閉動作を同じ制御部で制御してもよい。
【００３１】
沈砂の固着および／またはサンドポンプ１６の閉塞を防ぐために固液回収タンク２の内部に導水管３５を設けてもよい。図３に示すように、導水管３５は円筒状に形成されており、鉛直方向に延びている。導水管３５の上端開口３５ａは沈砂と分離した上澄水の中に位置しており、導水管３５の下端開口３５ｂは堆積した沈砂の中に位置している。図３の矢印で示すように、固液回収タンク２の沈砂排出口１８から沈砂が排出されると、導水管３５の上端開口３５ａから上澄水が流入し、下端開口３５ｂから上澄水が流出し、排出される沈砂は上澄水によって希釈される。これにより、沈砂の固着および／またはサンドポンプ１６の閉塞を防ぐことができる。
【００３２】
図３に示すように、導水管３５の上端開口３５ａの上方に、上澄水の取り込み量を調整する調整弁３６および調整弁３６を昇降する昇降機構３７を配置してもよい。昇降機構３７は、固液回収タンク２の上端部に固定される懸垂棒３８と、懸垂棒３８に固定される支持部材３９と、支持部材３９を貫通して鉛直方向に延びるジャッキボルト４０と、ジャッキボルト４０に挿入されるナット４１とを備えている。調整弁３６は、円錐台形状を有しており、ジャッキボルト４０の下端部に固定されている。ジャッキボルト４０はナット４１によって昇降可能に支持部材３９に取り付けられており、ナット４１の位置を調整することによって、ジャッキボルト４０とともに調整弁３６の位置が調整される。
【００３３】
上澄水の取り込み量を増やす場合は、昇降機構３７により調整弁３６を上昇させる。これにより、調整弁３６と導水管３５の上端開口３５ａとの間の間隔が広くなり、上端開口３５ａに流入する上澄水の量が多くなる。上澄水の取り込み量を減らす場合は、昇降機構３７により調整弁３６を下降させる。これにより、調整弁３６と導水管３５の上端開口３５ａとの間の間隔が狭くなり、上端開口３５ａに流入する上澄水の量が少なくなる。上澄水を取り込まない場合は、昇降機構３７により調整弁３６を図３の一点鎖線に示す位置まで下降させ、調整弁３６を導水管３５の上端開口３５ａに密着させる。これにより、上澄水は導水管３５の上端開口３５ａに流入しない。なお、調整弁３６を導水管３５の下端開口３５ｂに配置してもよい。これにより、導水管３５の下端開口３５ｂから流出する上澄水の量を調整することができる。
【００３４】
図４に示すように、大気注入管３０を固液回収タンク２の下部に接続し、かつ、導水管３５を固液回収タンク２の内部に配置してもよい。大気注入管３０から固液回収タンク２の内部に導入された大気圧の気体により固液回収タンク２の底部に堆積した沈砂を撹拌し、導水管３５の下端開口３５ｂから流出する上澄水の水流により、固液回収タンク２の底部に堆積した沈砂の濃度を低くすることができる。
【００３５】
図５は、撹拌機の他の例を示す図である。図５に示すように、堆積した沈砂を撹拌する撹拌羽根４２を固液回収タンク２の内部に設けてもよい。図５に示す例では、撹拌機は、堆積した沈砂を撹拌する撹拌羽根４２と、撹拌羽根４２を回転させる駆動装置４３と、駆動装置４３の回転力を撹拌羽根４２に伝達する回転軸４４とを備えている。回転軸４４は固液回収タンク２の上方に突出しており、駆動装置４３に連結されている。撹拌羽根４２は固液回収タンク２の底部近傍に配置されており、駆動装置４３の駆動により回転する。撹拌羽根４２を回転させることにより、堆積した沈砂が撹拌され、固液回収タンク２内の沈砂の濃度は低くなり、かつ均一になる。これにより、沈砂の固着および／またはサンドポンプ１６の閉塞を防ぐことができる。
【００３６】
図２、図３、図４、および図５で示した撹拌機は、固液回収タンク２の底部に堆積した沈砂を撹拌して、固液回収タンク２内の沈砂の濃度を低くし、かつ均一にする。このように固液回収タンク２の底部に堆積した沈砂を撹拌しながらサンドポンプ１６を駆動すると、固液回収タンク２内の固液混合体は第１の固液輸送管１９を通ってサンドポンプ１６に吸引される。サンドポンプ１６に吸引された固液混合体は、第２の固液輸送管２０を通って、沈砂受入機１７に輸送される。
【００３７】
沈砂池５中の沈砂を吸引することにより、吸引輸送管４内が沈砂で閉塞することがある。この問題を解決すべく、大気開放弁１０を閉じ、空気注入弁２３を開いた状態でコンプレッサ２２を駆動して圧縮空気を空気注入管２１から吸引輸送管４に導入する。導入された圧縮空気により、吸引輸送管４内に詰まった沈砂を除去することができる。
【００３８】
図６に示すように、サンドポンプ１６を固液回収タンク２の内部に設けてもよい。これにより、固液回収タンク２内の固液混合体を吸引する時間を短縮することができ、さらに、サンドポンプ１６を設置するスペースを省くことができる。図６では、サンドポンプ１６は固液回収タンク２の底部上または底部近傍に配置されている。
【００３９】
本実施形態では、真空装置１を用いた真空吸引方式により固液混合体を沈砂池５から固液回収タンク２まで輸送し、さらに、輸送効率の高いサンドポンプ１６により固液混合体を固液回収タンク２から沈砂受入機１７まで輸送するため、沈砂池５から固液回収タンク２までの揚程を低くすることができ、かつ、輸送距離を短くすることができる。したがって、輸送効率を高めることができる。また、沈砂受入機１７はサンドポンプ１６を経由して固液回収タンク２に接続されているので、沈砂受入機１７を任意の場所に設置することができる。例えば、固液回収タンク２の近くに沈砂受入機１７を設置するスペースがない場合には沈砂受入機１７を固液回収タンク２から離れたスペースに設置することができる。さらに、沈砂受入機１７を固液回収タンク２よりも高い位置に設置することも可能である。
【００４０】
これまで本発明の実施形態について説明したが、本発明は上述の実施形態に限定されず、その技術的思想の範囲内において種々異なる形態にて実施されてよいことは言うまでもない。
【符号の説明】
【００４１】
１      真空装置（減圧装置）
２      固液回収タンク
４      吸引輸送管
５      沈砂池
１０    大気開放弁
１１    大気開放管
１２，２５，３３    制御部
１６    サンドポンプ
１７    沈砂受入機（沈砂分離機）
１８    沈砂排出口
１９    第１の固液輸送管
２０    第２の固液輸送管
２１    空気注入管
２２    コンプレッサ（圧縮空気移送装置）
２３    空気注入弁
２４    沈砂排出弁
３０    大気注入管
３１    大気注入弁
３５    導水管
３６    調整弁
３７    昇降機構
３８    懸垂棒
３９    支持部材
４０    ジャッキボルト
４１    ナット
４２    撹拌羽根
４３    駆動装置
４４    回転軸
【図１】
2014083501.tif 000003
【図２】
2014083501.tif 000004
【図３】
2014083501.tif 000005
【図４】
2014083501.tif 000006
【図５】
2014083501.tif 000007
【図６】
2014083501.tif 000008